(57)【要約】【課題】壁際に床置きされる複雑形状の排水ヘッダーをサポートバンドで床面に安定固定できるようにする。【解決手段】一対の開閉自在な円形バンド１２を同一方向に開口するように離隔してバンド基板２上に具備したサポートバンド１を形成し，上記離隔した円形バンド１２間に傾斜突出した横枝管２２を受入れるようにして管本体２１を支持することによって排水ヘッダー２０を安定且つ確実に床面固定する。バンド基板２のコンクリートスラブ４０への水平出し，その固定，円形バンド１２による管本体１２の支持をバンド基板２上における下方向の工具操作でなし得るようにして壁際での作業を容易化する。【選択図】        図４
2004353769.tif 000002
【特許請求の範囲】
【請求項１】
管本体の側面に排水集合管方向に向けて複数の横枝管を傾斜突出した床置きの排水ヘッダー用サポートバンドであって，面内にコンクリートスラブ固定用の下向き固定金具を挿通する金具孔を透設したバンド基板と，該バンド基板に下向きに螺装することによってコンクリートスラブに対してバンド基板を水平支持自在とした多数本の高さ調整用ボルトと，円周下端の接点を上記バンド基板に固定して管本体長手方向の同一方向に開口し管本体をその横枝管を挟んだ複数箇所において受入支持自在とした複数の円形バンドとを備え且つ該円形バンドをそれぞれ上下に２分割してその分割端部一端をヒンジ連結することによって上下方向開閉自在とするとともに分割端部他端に相互に重合自在にして下位側にナットを具備した一対の締着突片を突設することによって該一対の締着突片を下向きのボルトによって締着固定自在としてなることを特徴とする排水ヘッダー用サポートバンド。
【請求項２】
上記複数の円形バンドにおける２分割を，円周方向水平位置又は傾斜位置で略１／２円とするように行なってなることを特徴とする請求項１に記載の排水ヘッダー用サポートバンド。
【請求項３】
上記管本体の下面に下向きの床支持脚を備えた排水ヘッダーを用いるとともに上記バンド基板がその面内に透設した上記床支持脚を挿通自在の透孔を備えてなることを特徴とする請求項１又は２に記載の排水ヘッダー用サポートバンド。
【請求項４】
上記複数の円形バンドがその内周に防振材を備えてなることを特徴とする請求項１，２又は３に記載の排水ヘッダー用サポートバンド。
【発明の詳細な説明】
【０００１】
【発明の属する技術分野】
本発明はマンション等の中高層建築物の排水用配管に使用する排水ヘッダー用サポートバンドに関する。
【０００２】
【従来の技術】
この種床置きの排水ヘッダーとして，管本体の側面に排水集合管方向に向けて複数の横枝管を傾斜突出することによって複雑形状をなすように構成されたものが知られており，この場合，横枝管に各住戸乃至関係個所からの排水管を接続し，管本体長手方向の一方端部を排水集合管に接続するとともに他方の端部を他の排水ヘッダーを接続し又はこれを閉塞して上記排水集合管の近傍のコンクリートスラブ上に床置き配置し，各住戸乃至関係個所の排水を，該排水ヘッダーを介して排水集合管に集中して屋外に排出するように使用するものとされている。
【０００３】
【特許文献１】
特開２００１−６５０１９号（３，４頁，図６，図７，図８，図１３等参照）
【０００４】
【発明が解決しようとする課題】
この場合横枝管が排水集合管方向に傾斜突出していることによって，排水を阻害することがなく，その流れを良好に維持して，排水集合管への排水をスムーズ且つ確実になし得るものとすることができるものとされるが，該排水ヘッダーはそれ自体が床置き用のものとして構成されているので，一般に床面に固定されることなくコンクリートスラブ上に床置き状態に配置されることも多く，この場合，その固定がなされないために，コンクリートスラブの表面凹凸により排水ヘッダーが床面から浮いた状態で排水管，他の排水ヘッダー，排水集合管に接続されることになり，長期に使用された場合に建物の振動等に起因して接続個所の緩みやこれによる漏水を生じる可能性残ることを否定できない。一方既存の配管バンド，例えばレベルバンドを用いてその床面に固定することが想定されるが，一般にレベルバンドはバンド基板に一対のボルトを起立設置し，該ボルトに比較的幅広の上下バンド部材を高さ調整した後にボルトを挿通した両端の締着片をボルト螺装の上下ナットによって締着し配管をその長手方向単一箇所で固定するものであるところ，排水ヘッダーの横枝管は比較的近接して配置されており，バンドで固定すべき横枝管間の寸法が狭くバンド部材が入らないためにバンド部材の幅を切断加工することが必要となること，一般に排水集合管が建物の壁際に設置されるために排水ヘッダーも壁際に，例えば１５乃至２０ｃｍ程度に近接した位置となるのが通常であるので，上下ナットの締着に使用するスパナの操作が困難となることも多く作業が煩雑となること，排水ヘッダーの床面への固定位置が単一個所となるためにぐらつきが生じ易く固定の安定性が得られないことといった問題点に遭遇することになる。
【０００５】
本発明はかかる事情に鑑みてなされたもので，その解決課題とするところは，可及的に簡単な構造にして簡易且つ確実に排水ヘッダーを床面固定し得るようにした排水ヘッダー用サポートバンドを提供するにある。
【０００６】
【課題を解決するための手段】
上記課題に添って本発明は，コンクリートスラブに載置固定するバンド基板に上記排水ヘッダーの管本体を固定するように設置した円形バンドを備える一方，バンド基板をコンクリートスラブの傾斜や凹凸を吸収して水平として排水ヘッダーを支持し得るように，該バンド基板に高さ調整用ボルトを設置したものとし，排水ヘッダーの管本体を安定して固定し確保し得るように，円形バンドを同一方向に開口した複数とし，該円形バンドで管本体をその横枝管を挟んだ複数箇所で受入固定したものとし，壁際に近接した位置における良好な作業性を確保し得るように，上記バンド基板のコンクリートスラブの固定作業，その高さ調整用ボルト操作，円形バンドの受入支持及びその固定作業を上から下に向けた作業によるものとする目的で，バンド基板にその固定用の下向き固定金具を挿通する金具孔を配置し，高さ調整用ボルトをバンド基板に下向きに螺装し，円形バンドを上下に２分割してその一端をヒンジ連結してこれを上下方向に開閉自在として開放状態で排水ヘッダーの載置を可能し，また２分割した他端に相互に重合し下位側にナットを備えた上下の締着突片を配置して該締着突片を該ナットに対するボルト操作によって締着固定するものとし，これらによって簡易な構造により壁際に近接配置されるのが通常である排水ヘッダーを簡易且つ確実に床面固定するとともに固定の安定性と作業性を確保し得るようにしたものであって，即ち請求項１に記載の発明を，管本体の側面に排水集合管方向に向けて複数の横枝管を傾斜突出した床置きの排水ヘッダー用サポートバンドであって，面内にコンクリートスラブ固定用の下向き固定金具を挿通する金具孔を透設したバンド基板と，該バンド基板に下向きに螺装することによってコンクリートスラブに対してバンド基板を水平支持自在とした多数本の高さ調整用ボルトと，円周下端の接点を上記バンド基板に固定して管本体長手方向の同一方向に開口し管本体をその横枝管を挟んだ複数箇所において受入支持自在とした複数の円形バンドとを備え且つ該円形バンドをそれぞれ上下に２分割してその分割端部一端をヒンジ連結することによって上下方向開閉自在とするとともに分割端部他端に相互に重合自在にして下位側にナットを具備した一対の締着突片を突設することによって該一対の締着突片を下向きのボルトによって締着固定自在としてなることを特徴とする排水ヘッダー用サポートバンドとしたものである。
【０００７】
請求項２に記載の発明は，上記に加えて，上記複数の円形バンドを排水ヘッダーの管本体における管径の略１／２円とすることによって，円形バンドに対する管本体の載置と管本体に対する押え部分の配置を，圧入のための加圧等を必要とすることなく，上から下に向けた自然の作業によって確実になし得るものとするように，これを，上記複数の円形バンドにおける２分割を，円周方向水平位置又は傾斜位置で略１／２円とするように行なってなることを特徴とする請求項１に記載の排水ヘッダー用サポートバンドとしたものである。
【０００８】
請求項３に記載の発明は，同じく上記に加えて，排水ヘッダーがその管本体下面に下向きの床支持脚を有する場合に対応し，バンド基板が該床支持脚を逃した状態で上記円形バンドによる管本体の好ましい固定をなし得るように，これを，上記管本体の下面に下向きの床支持脚を備えた床置きの排水ヘッダーを用いるとともに上記バンド基板がその面内に透設した上記床支持脚を挿通自在の透孔を備えてなることを特徴とする請求項１又は２に記載の排水ヘッダー用サポートバンドとしたものである。
【０００９】
請求項４に記載の発明は，同じく上記に加えて，円形バンドによる管本体の固定を，防振材を介して行うことによって排水ヘッダーと円形バンドの金属相違による電蝕の可能性を回避し且つ排水音の建物内伝播を防止し得るように，これを，上記複数の円形バンドがその内周に防振材を備えてなることを特徴とする請求項１，２又は３に記載の排水ヘッダー用サポートバンドとしたものである。
【００１０】
本発明はこれらをそれぞれ発明の要旨として上記課題解決の手段としたものである。
【００１１】
【発明の実施の形態】
以下図面の例に従って本発明を更に具体的に説明すれば，１はサポートバンドであり，該サポートバンド１は，管本体２１の側面に排水集合管３０方向に向けて複数の横枝管２２を傾斜突出した床置きの排水ヘッダー２０用のものとしてあり，面内にコンクリートスラブ４０固定用の下向き固定金具８を挿通する金具孔３を透設したバンド基板２と，該バンド基板２に下向きに螺装することによってコンクリートスラブ４０に対してバンド基板２を水平支持自在とした多数本の高さ調整用ボルト９と，円周下端の接点を上記バンド基板２に固定して管本体２１長手方向の同一方向に開口し管本体２１をその横枝管２２を挟んだ複数箇所において受入支持自在とした複数の円形バンド１２とを備えたものとしてある。
【００１２】
本例の排水ヘッダー２０は，例えば鋳鉄製の鋳造成形品とし，円筒形の管本体２１と，該管本体２１の側面に平面状態で右及び左の同一方向に同一傾斜角度で傾斜突出した２本又は３本の横枝管２２と，管本体２１の横枝管２２付根部分の上面に低突出した開閉自在の蓋２４付の掃除口２３とを備えたものとし，管本体２１はその排水集合管３０側の一端を同一外形の集合管挿入端部とし，他端に他の排水ヘッダー２０の接続又は閉塞板接続を互換的に可能とするように管本体２１円周方向両側の水平位置に締着ボルト２６を有する継手２５を備えた床置き用のものとしてあり，本例にあって該排水ヘッダー２０は上記管本体２１の下面に下向きの床支持脚２７を備えたものとし，該床支持脚２７はこれを横枝管２２が２本の場合にその排水集合管３０側に位置する横枝管２２の付根付近，３本の場合に中央に位置する横枝管２２の付根付近の１箇所と掃除口２３及び上記継手２５の下面付近の２箇所の合計３箇所に管本体２１から垂下して突出したものとしてある。
【００１３】
本例にあってバンド基板２は，例えば２ｍｍ程度の肉厚にして１５×２０ｃｍ程度の比較的大きな面積を持つ平板状の鋼板に所定の加工を施して形成したものとしてあり，その固定に例えばアンカーボルトとコンクリート釘による固定金具８を選択的に使用し得るように，該バンド基板２の面内の適宜位置にアンカーボルト用に径大複数，特に２箇所の，コンクリート釘用に径小複数，特に３箇所の金具孔３を透設し且つバンド基板２のコーナー近傍の適宜位置に本例にあって４箇所とした上記高さ調整用ボルト９の螺装用ナット１０を，例えば該バンド基板２上面に六角ナットを固定することによって設置してある。また上記床支持脚２７を有する排水ヘッダー２０を用いた本例にあって該バンド基板２は更にその面内に透設した上記床支持脚２７を挿通自在の透孔５を備えてあり，本例にあって該透孔５はこれを長孔とすることによってバンド基板２の固定状態で排水ヘッダー２０の長手方向移動を許容し得るようにしてある。図中６はバンド基板２に設置した補強リブ，７はバンド基板２の一端縁部に隆起するように設置した横枝管２２支持用の防振材，特に防振ゴムである。
【００１４】
高さ調整用ボルト９は，上記バンド基板２に設置した，本例にあって４箇所のナット１０にそれぞれ下向きに螺装することによってバンド基板２からその下方に突出して先端をコンクリートスラブ４０に突き当て対接することによってボルト９の位置毎に突出量を変化して，コンクリートスラブ４０に傾斜や凹凸が存在するときにこれを吸収し，バンド基板２を水平支持して排水ヘッダー２０の固定をバンド基板２の水平状態でなし得るようにしてある。図中１１は本例にあってボルト９の緩み止め用に必要に応じて使用するようにした緩み止めナットである。
【００１５】
円形バンド１２はその円周下端のバンド基板２との接点を直接又は受部材を介して間接にバンド基板２に固定することによって，本例にあって一対をバンド基板２に管本体２１長手方向に離隔して平行となるように配置してあり，本例のバンド基板２１への固定は上記接点を直接にバンド基板２１上面に溶着することによって各円形バンド１２が，例えば垂直に起立するようにしてあり，これによって該一対の円形バンド１２はその開口を管本体２１長手方向の同一方向に向けて該管本体２１を受入支持自在としてあり，このとき本例にあっては円形バンド１２の幅を，例えば１．５ｃｍ程度とするように細幅とし，またその固定間隔を，例えば１２ｃｍ程度として排水ヘッダー２０の任意の横枝管２２を挟んで管本体２１を円形バンド１２の数に応じてその長手方向２箇所で受入支持自在としてある。
【００１６】
円形バンド１２は，これをそれぞれ上下に２分割してその分割端部一端をヒンジ１６連結することによって上下方向開閉自在とするとともに分割端部他端に相互に重合自在にして下位側にナット１８を具備した一対の締着突片１７を突設することによって該一対の締着突片１７を下向きのボルト１９によって締着固定自在としたものとしてあり，本例にあって該複数の円形バンド１２における２分割は，これを，円周方向水平位置又は傾斜位置で略１／２円とするように行なってあり，また複数の円形バンド１２がその内周に防振材１５，本例にあっては防振ゴムを備えたものとしてある。
【００１７】
即ち本例の円形バンド１２は管本体２１の外径に合うものを用いるものとしてあり，本例にあって円形バンド１２は上記内周の防振材１５，特に防振ゴムの厚さを管本体２１の外径に加えた，例えば８ｃｍ程度の管本体２１の外径に対して９ｃｍ程度の内径を有する鋼製のものとしてあり，本例にあって該円形バンド１２は円周方向傾斜位置で略１／２円に２分割することによって上下に略等分した半円形一対の上位バンド部材１３及び下位バンド部材１４を備えて，各円形バンド１２の分割端部一端に巻込み曲成して配置した軸受とこれに挿入した軸によって構成したヒンジ１６によって上位バンド部材１３を下位バンド部材１４に対して上下方向開閉自在とする一方，各円形バンド１２の分割端部他端に該分割端部を外側水平方向に折曲して相互に上下に重合するように突出形成し，面内に透孔を透設具備した上下に一対の締着突片１７を配置したものとしてあり，このとき本例にあって下位バンド部材１４に配置することによって重合状態で下位に位置する締着突片１７の下面に六角ナットを固定することによって該下位の締着突片１７にナット１８を配置したものとしてあり，これによって上位側の締着突片１７側から下向きボルト１９を重合した締着突片１７の透孔を介してナット１８に螺装することによって上下に一対の締着突片１７を締着固定するようにしてある。
【００１８】
本例の円形バンド１２における上位バンド部材１３及び下位バンド部材１４の２分割を傾斜位置としたのは，本例にあって上記排水ヘッダー２０の継手２５が水平位置両側に締着ボルト２６を備えることから，排水ヘッダー２０をその長手方向に複数連とするように接続したときに，円形バンド１２のヒンジ１６や締着突片１７，特に締着突片１７（乃至その付属物のナット１８等）が締着ボルト２６から離れるようにして，該締着ボルト２６が円形バンド１２による排水ヘッダー２０の受入支持の障害となるのを防止して，後述のように排水ヘッダー２０を単体使用するときと長手方向に接続使用するときの双方にサポートバンド１を共用可能とするためであり，該傾斜位置は締着ボルト２６との相対的関係から，例えば水平位置から１５乃至２０度程度以上の角度をなすようにこれを定めればよいが，本例にあってはこれを３０乃至３５度程度の角度をなすものとしてある。
【００１９】
サポートバンド１を用いた排水ヘッダー２０の床面固定は，高さ調整用ボルト９によってバンド基板２の水平出しを行なってその金具孔３を介した固定金具８によって該バンド基板２をコンクリートスラブ４０に固定し，開放した複数の円形バンド１２に排水ヘッダー２０の管本体２１をその横枝管２２を挟んだ複数箇所で受入支持し，円形バンド１２を閉鎖してその重合した締着突片１７を下向きのボルト１９によって締着固定すればよく，本例のサポートバンド１にあっては，上位バンド部材１３を回動開放した離隔一対の円形バンド１２の下位バンド部材１４間に横枝管２２が位置するように手持ちして排水ヘッダー２０の管本体２１をこれら下位バンド部材１４に対して落とし込むように載置し，その後に各上位バンド部材１３を回動閉鎖して管本体２１を覆うように被嵌し，これによって重合する上下位バンド部材１３，１４の一対の締着突片１７を下向きボルト１９によって締着固定すればよく，このとき例えば予め排水ヘッダー２０を床面固定するサポートバンド１と排水集合管３０等との位置関係を調整することによって，排水ヘッダー２０の排水集合管３０等との接続は該床面固定の後に行なうようにすることができる。
【００２０】
本例のサポートバンド１は，横枝管２２のピッチが同一である限り横枝管２２の突出本数に拘らず共通に使用して排水ヘッダー２０を床面固定することができるとともに排水ヘッダー２０を複数連とするように長手方向に接続する場合にも，上記円形バンド１２の２分割を傾斜位置としたことによって継手２５近傍の管本体２１を受入支持するについて障害が生じることもない。
【００２１】
これを図示したところによって説明すれば，例えば横枝管２２が上記２本の場合には，例えば図４，図５のように排水集合管３０側に位置する横枝管２２を一対の円形バンド１２間に挟むように該円形バンド１２によって２本の横枝管２２間の管本体２１と排水集合管３０側の管本体２１との２箇所でこれを受入支持するようにし，３本の場合には，同様に排水集合管３０側の横枝管２２を挟むように管本体２１を２箇所で受入支持するか，または例えば図６，図７のように中央の横枝管２２を挟んでその両側で隣接する横枝管２２間２箇所で管本体２１を受入支持するようにすることができる。３本を超える本数の横枝管２２の場合にも任意の横枝管２２間か，排水集合管３０側の横枝管２２を挟むように同様に管本体２１を２箇所で受入支持すればよい。
【００２２】
また例えば図８及び図９に示すように２本の横枝管２２を有する排水ヘッダー２０と３本の横枝管２２を有する排水ヘッダー２０を複数連に接続，本例にあっては２連の接続の場合，図上左の２本の横枝管２２を有する排水ヘッダー２０における排水集合管３０側に位置する管本体２１が図上右の３本の３本の横枝管２２を有する排水ヘッダー２０の継手２５内に挿入されることによって継手２５の近傍に位置することになるが，円形バンド１２の２分割を傾斜位置としたことによって上記管本体２１の円周方向両側水平位置における締着ボルト２６を避けて管本体２１の受入支持と締着固定を行い，円形バンド１２による排水集合管３０側の受入支持を障害なく行なうことが可能となる。
【００２３】
本例のサポートバンド１にあっては，円形バンド１２を一対としたことによって上記ピッチが同一である限り横枝管２２の本数に拘らず排水ヘッダー２０を管本体２１長手方向２箇所において受入支持して安定した床面固定を行なうことができること，バンド基板２の固定金具８による固定や高さ調整用ボルト９による水平出しのための高さ調整を横方向の作業を伴うことなく下方向の作業によって行なうことができ，円形バンド１２の開閉やその排水ヘッダー２０の受入支持，円形バンドの下向きのボルト１９による締着固定も同様に横方向の作業を伴うことなくサポートバンド１上における下方向の作業によって行なうことができ，従って排水ヘッダー２０が壁際に近接して位置する場合にも簡易且つ確実にこれを固定することができること，排水ヘッダー２０専用のサポートバンド１とすることによって排水ヘッダー２０の横枝管２２を除いた管本体２１の寸法に合わせた円形バンド１２幅とすることが可能となり現場作業が容易化するとともに排水ヘッダー２０を長期に亘り安定して床面固定することができること，サポートバンド１の構造が簡易でそのコンクリートスラブ４０への固定やサポートバンド１による排水ヘッダー２０の床面固定に特殊工具を使用することなくドリル，ハンマー，スパナ，ドライバー等の作業者が一般に使用する現場工具でなし得るから煩雑な作業がなく作業の容易性を確保することができること等の作用効果を奏するものとし得る。
【００２４】
図示した例は以上のとおりとしたが，排水ヘッダーを単体使用するとき或いは上記継手の締着ボルト位置による障害がないとき等に，円形バンドの２分割を，円周方向水平位置で略１／２円とするように行なうこと，金具孔を上記複数の固定金具用とすることなく単一の固定金具用のものとすること，多数の高さ調整ボルトをその最低数として３本とすること，ボルトをネジ頭付きのものとすること等も可能であり，本発明の実施に当って，排水ヘッダー，サポートバンド，そのバンド基板，高さ調整用ボルト，円形バンド，締着突片，下向きのボルト，必要に応じて用いる防振材等の各具体的形状，構造，材質，これらの関係，これらに対する付加，床面固定の具体的方法等は，上記発明の要旨に反しない限り様々の形態とすることができる。
【００２５】
【発明の効果】
本発明は以上のとおりに構成したから，コンクリートスラブに載置固定するバンド基板に上記排水ヘッダーの管本体を固定するように設置した円形バンドを備える一方，バンド基板をコンクリートスラブの傾斜や凹凸を吸収して水平として排水ヘッダーを支持し得るように，該バンド基板に高さ調整用ボルトを設置したものとし，排水ヘッダーの管本体を安定して固定し確保し得るように，円形バンドを同一方向に開口した複数とし，該円形バンドで管本体をその横枝管を挟んだ複数箇所で受入固定したものとし，壁際に近接した位置における良好な作業性を確保し得るように，上記バンド基板のコンクリートスラブの固定作業，その高さ調整用ボルト操作，円形バンドの受入支持及びその固定作業を上から下に向けた作業によるものとする目的で，バンド基板にその固定用の下向き固定金具を挿通する金具孔を配置し，高さ調整用ボルトをバンド基板に下向きに螺装し，円形バンドを上下に２分割してその一端をヒンジ連結してこれを上下方向に開閉自在として開放状態で排水ヘッダーの載置を可能し，また２分割した他端に相互に重合し下位側にナットを備えた上下の締着突片を配置して該締着突片を該ナットに対するボルト操作によって締着固定するものとし，これらによって簡易な構造により壁際に近接配置されるのが通常である排水ヘッダーを簡易且つ確実に床面固定するとともに固定の安定性と作業性を確保し得るようにした排水ヘッダー用サポートバンドを提供することができる。
【００２６】
請求項２に記載の発明は，上記に加えて，上記複数の円形バンドを排水ヘッダーの管本体における管径の略１／２円とすることによって，円形バンドに対する管本体の載置と管本体に対する押え部分の配置を，圧入のための加圧等を必要とすることなく，上から下に向けた自然の作業によって確実になし得るものとすることができる。
【００２７】
請求項３に記載の発明は，同じく上記に加えて，排水ヘッダーがその管本体下面に下向きの床支持脚を有する場合に対応し，バンド基板が該床支持脚を逃した状態で上記円形バンドによる管本体の好ましい固定をなし得るものとすることができる。
【００２８】
請求項４に記載の発明は，同じく上記に加えて，円形バンドによる管本体の固定を，防振材を介して行うことによって排水ヘッダーと円形バンドの金属相違による電蝕の可能性を回避し且つ排水音の建物内伝播を防止することができる。
【図面の簡単な説明】
【図１】サポートバンドの正面図である。
【図２】サポートバンドの平面図である。
【図３】サポートバンドの側面図である。
【図４】サポートバンドによって２本の横枝管を有する排水ヘッダーの固定状態を示す平面図である。
【図５】図４の側面図である。
【図６】サポートバンドによって３本の横枝管を有する排水ヘッダーの固定状態を示す平面図である。
【図７】図６の側面図である。
【図８】サポートバンドによって接続した排水ヘッダーの固定状態を示す平面図である。
【図９】図８の側面図である。
【符号の説明】
１  サポートバンド
２  バンド基板
８  固定金具
９  高さ調整用ボルト
１０  ナット
１２  円形バンド
１５  防振ゴム
１６  ヒンジ
１７  締着突片
１８  ナット
１９  下向きボルト
２０  排水ヘッダー
２１  管本体
２２  横枝管
３０  排水集合管
４０  コンクリートスラブ
【図１】
2004353769.tif 000003
【図２】
2004353769.tif 000004
【図３】
2004353769.tif 000005
【図４】
2004353769.tif 000006
【図５】
2004353769.tif 000007
【図６】
2004353769.tif 000008
【図７】
2004353769.tif 000009
【図８】
2004353769.tif 000010
【図９】
2004353769.tif 000011